(57)【要約】【課題】手袋を嵌めたままの状態でも静電容量式携帯通信端末の液晶パネルを操作して、ゴルフボールの現在位置からグリーンやバンカーまでの距離を計測したり、あるいはコースのレイアウトを携帯通信端末の操作パネル上に表示させることができるようになしたゴルフ用手袋を提供する。【解決手段】ゴルフ用手袋本体１における指袋のうち、少なくとも親指および人差し指を収納する指袋２，３の掌側先端付近に、金属粉末および／または金属粉末以外の導電性粉末を含有させたポリウレタン樹脂製の弾性部材４を取り付けた。【選択図】図１
2014230672.tif 000002
【特許請求の範囲】
【請求項１】
ゴルフ用手袋本体における指袋のうち、少なくとも親指および人差し指を収納する指袋の掌側先端付近に、金属粉末および／または金属粉末以外の導電性粉末を含有させたポリウレタン樹脂製の弾性部材を付設したことを特徴とするゴルフ用手袋。
【請求項２】
金属粉末が、銀粉、金粉、パラジウム粉、白金粉、銅粉、ニッケル粉、アルミニウム粉、真鍮粉のうちの一種またはこれらのうちから任意に選択された二種以上の複合粉である請求項１に記載のゴルフ用手袋。
【請求項３】
金属粉末以外の導電性粉末が、カーボンブラック、グラファイト粉等の炭素系のフィラー、炭化ケイ素、炭化ホウ素、炭化チタン、炭化ジルコニウム、炭化ハフニウム、炭化バナジウム、炭化タンタル等の各種炭化物、窒化ホウ素、窒化チタン、窒化ジルコニウム等の各種窒化物、ホウ化ジルコニウム等の各種ホウ化物、酸化チタン、酸化カルシウム、酸化マグネシウム、酸化亜鉛、酸化銅、酸化アルミニウム等の各種酸化物、チタン酸カルシウム、チタン酸マグネシウム等の各種チタン酸化合物、二硫化モリブデン等の硫化物、フッ化マグネシウム、フッ化炭素等の各種フッ化物、ステアリン酸アルミニウム、ステアリン酸カルシウム、ステアリン酸亜鉛、ステアリン酸マグネシウム等の各種金属石鹸のうちの一種またはこれらのうちから任意に選択された二種以上の複合粉である請求項１に記載のゴルフ用手袋。
【発明の詳細な説明】
【技術分野】
【０００１】
本発明はゴルファーの素手に密着するように嵌めて的確なスイングを可能にするゴルフ用手袋に係り、特に手袋を嵌めたままの状態で携帯端末におけるタッチパネルの操作を行えるようにしたゴルフ用手袋に関する。
【背景技術】
【０００２】
下記の特許文献１に開示されているように、ゴルフプレーに際してＧＰＳ（Ｇｒｏｂａｌ  Ｐｏｓｉｔｉｏｎｉｎｇ  Ｓｙｓｔｅｍ）信号を受信可能な携帯通信端末を利用して、ゴルフボールの現在位置からグリーンやバンカーまでの距離を計測したり、あるいはコースのレイアウトを携帯通信端末の操作パネル上に表示させてコース毎の攻略法などを独自に工夫することが行われている。
【先行技術文献】
【特許文献】
【０００３】
【特許文献１】特開２０１２−９０７４９号公報
【発明の概要】
【発明が解決しようとする課題】
【０００４】
ところで、ゴルフプレー中はグリップを確実なものにするため手袋が不可欠であり、前記した携帯通信端末、特に静電容量式のタッチパネルを具備した通信端末を操作するためにはその都度手袋を外さなければならず、非常に煩わしいものであった。特に、通常の防寒用手袋の場合と異なり、ゴルフ用の手袋はゴルファーの手に密着するよう隙間なく作られているため通信端末を操作する度に脱着を繰り返すのは大変煩わしいと共に、プレーの遅延にもつながるという問題点があった。
【０００５】
そこで、本発明は前記した従来のゴルフ用手袋の問題点を解消し、手袋を嵌めたままの状態でも携帯通信端末におけるタッチパネルを操作できるように改善したゴルフ用手袋を提供することを目的とするものである。
【課題を解決するための手段】
【０００６】
上記課題を解決するための本発明の構成を詳述すれば、請求項１に係る発明は、ゴルフ用手袋本体における指袋のうち、少なくとも親指および人差し指を収納する指袋の掌側先端付近に、金属粉末および／または金属粉末以外の導電性粉末を含有させたポリウレタン樹脂製の弾性部材を付設したことを特徴とするゴルフ用手袋である。
【０００７】
また、請求項２に係る発明は、金属粉末が、銀粉、金粉、パラジウム粉、白金粉、銅粉、ニッケル粉、アルミニウム粉、真鍮粉のうちの一種またはこれらのうちから任意に選択された二種以上の複合粉である請求項１に記載のゴルフ用手袋である。
【０００８】
さらに、請求項３に係る発明は、金属粉末以外の導電性粉末が、カーボンブラック、グラファイト粉等の炭素系のフィラー、炭化ケイ素、炭化ホウ素、炭化チタン、炭化ジルコニウム、炭化ハフニウム、炭化バナジウム、炭化タンタル等の各種炭化物、窒化ホウ素、窒化チタン、窒化ジルコニウム等の各種窒化物、ホウ化ジルコニウム等の各種ホウ化物、酸化チタン、酸化カルシウム、酸化マグネシウム、酸化亜鉛、酸化銅、酸化アルミニウム等の各種酸化物、チタン酸カルシウム、チタン酸マグネシウム等の各種チタン酸化合物、二硫化モリブデン等の硫化物、フッ化マグネシウム、フッ化炭素等の各種フッ化物、ステアリン酸アルミニウム、ステアリン酸カルシウム、ステアリン酸亜鉛、ステアリン酸マグネシウム等の各種金属石鹸のうちの一種またはこれらのうちから任意に選択された二種以上の複合粉である請求項１に記載のゴルフ用手袋である。
【発明の効果】
【０００９】
本発明に係るゴルフ用手袋によれば、手袋本体における指袋のうち、少なくとも親指および人差し指を収納する指袋の掌側先端付近に、きわめて高い導電性を示現する金属粉末および／または金属粉末以外の導電性粉末を含有させたポウレタン樹脂製の弾性部材を付設してあるので、手袋を嵌めたままの状態で静電容量式のタッチパネルを操作することが可能となる。従って、これまでのように携帯通信端末を操作するたびに手袋を外す必要がなくなり、プレー遅延を防ぐことができる。
【００１０】
また、当該金属粉末および／または金属粉末以外の導電性粉末を含有したポリウレタン樹脂製の弾性部材はすぐれた滑り止め効果を発現するのでグリップを従来と同様に確実なものとすることができる。
【図面の簡単な説明】
【００１１】
【図１】本発明に係るゴルフ用手袋の一実施形態を示す斜視図である。
【発明を実施するための形態】
【００１２】
以下、本発明に係るゴルフ用手袋の具体的構成を図示の実施形態に基づいて詳細に説明する。
【００１３】
図中１は天然皮革の他、合成皮革、人工皮革等薄手の適宜素材によってゴルファーの手のひら側及び手の甲側全体を密に覆うことができる大きさに形成したゴルフ用手袋本体の全体を示す。２は当該ゴルフ用手袋本体１におけるゴルファーの親指を収納する親指袋、３は人差し指を収納する人差し指袋を示す。
【００１４】
本発明は当該ゴルフ用手袋本体１における指袋のうち、少なくとも親指袋２および人差し指袋３の掌側先端付近に、金属粉末および／または金属粉末以外の導電性粉末を含有させたポリウレタン樹脂製の弾性部材４を取り付けて構成したものである。
【００１５】
前記弾性部材４の付設にあたっては、前記指袋２，３を構成する掌側ボディーの先端付近を切り欠いておいて、当該切欠部を覆うことができる大きさに裁断した弾性部材４を縫着など公知の手段で当該切欠部の周縁部に取り付けるようにしてもよいし、あるいは、前記指袋２，３を構成する掌側ボディーの先端付近に掌側ボディー構成基材の上面と重複するように弾性部材４を取り付けるようにしてもよい。
【００１６】
なお、図示の実施形態では親指袋２および人差し指袋３の掌側先端付近にのみ
金属粉末および／または金属粉末以外の導電性粉末を含有させたポリウレタン樹脂製の弾性部材４を取り付けて構成したものであるが、場合によっては親指袋２および人差し指袋３以外の中指袋５、薬指袋６および小指袋７の各掌側先端付近に導電機能を有する弾性部材４を取り付けるようにしてもよい。
【００１７】
弾性部材４の基材となるポリウレタン樹脂素材に配合する導電性金属粉末としては、銀粉、金粉、白金粉、パラジウム粉等の貴金属粉、銅粉、ニッケル粉、アルミ粉、真鍮粉等の卑金属粉などが適用可能である。
【００１８】
これらの金属粉末は、単独で用いてもよいし、あるいはこれらのうちから任意に選択された二種以上の金属粉末を併用するようにしてもよい。
なお、上記した金属粉末の中で、導電性能の点でも、経済的観点からも最も好ましいものは銀粉単独または銀粉を主体とした金属粉末である。
【００１９】
金属粉末の形状としては、フレーク状、球状、樹枝状、あるいは球状の一次粒子が三次元的に凝集した形状などが挙げられるが、これらの中で、フレーク状銀粉、前記した球状の一次粒子が三次元的に凝集した形状の銀粉が導電性の面で特に望ましい。
【００２０】
金属粉末以外の導電性粉末としては、たとえばカーボンブラック、グラファイト粉等の炭素系のフィラー、炭化ケイ素、炭化ホウ素、炭化チタン、炭化ジルコニウム、炭化ハフニウム、炭化バナジウム、炭化タンタル、炭化ニオブ、炭化タングステン、炭化クロム、炭化モリブテン、炭化カルシウムなどの各種炭化物、窒化ホウ素、窒化チタン、窒化ジルコニウムなどの各種窒化物、ホウ化ジルコニウムなどの各種ホウ化物を用いることができる。
【００２１】
また、酸化チタン、酸化カルシウム、酸化マグネシウム、酸化亜鉛、酸化銅、酸化アルミニウム、シリカ、コロイダルシリカなどの各種酸化物、チタン酸カルシウム、チタン酸マグネシウム、チタン酸ストロンチウムなどの各種チタン酸化合物、二硫化モリブデンなどの硫化物、フッ化マグネシウム、フッ化炭素などの各種フッ化物、ステアリン酸アルミニウム、ステアリン酸カルシウム、ステアリン酸亜鉛、ステアリン酸マグネシウムなどの各種金属石鹸などが適用可能である。
【００２２】
上記した金属粉末以外の各種導電性粉末は、単独で用いてもよいし、あるいはこれらのうちから任意に選択された二種以上の金属粉末を併用するようにしてもよい。
【００２３】
なお、上記した導電性を有する無機物を添加することによって、弾性部材４を構成するポリウレタン樹脂素材自体の耐熱性や耐久性をさらに向上させることが可能となる場合がある。
【００２４】
上記した各種無機物のうち、導電性、耐湿性等の環境特性、コスト面からは、カーボンブラック、グラファイト粉が特に好ましい。カーボンブラック、グラファイト粉を含む場合の、カーボンブラックおよび／またはグラファイト粉の含有量としては、金属粉末１００質量部に対して、２５質量部以下、さらに好ましくは１１質量部以下で配合することが特に好ましい。
【００２５】
本発明に係るゴルフ用手袋は、上記のようにゴルフ用手袋本体１における指袋のうち、少なくとも親指袋２および人差し指袋３の掌側先端付近に、金属粉末および／または金属粉末以外の導電性粉末を含有させたポリウレタン樹脂製の弾性部材４を取り付けて構成したものであり、手袋本体１を嵌めたままの状態で、たとえばＧＰＳ信号を受信可能な携帯通信端末の液晶パネルを操作してゴルフボールの現在位置からグリーンやバンカーまでの距離を計測したり、あるいはコースのレイアウトを携帯通信端末の操作パネル上に表示させることができる。
【００２６】
特に、本発明に係るゴルフ用手袋本体における親指袋および人差し指袋の掌側先端付近にはきわめて高い導電性を示現する金属粉末および／または金属粉末以外の導電性粉末を含有させたポウレタン樹脂製の弾性部材を付設してあるので、タッチパネルの感度が向上し、ゴルファーによる携帯通信端末の操作が一層容易になる。
【符号の説明】
【００２７】
１：ゴルフ用手袋本体
２：親指袋
３：人差し指袋
４：弾性部材
５：中指袋
６：薬指袋
７：小指袋
【図１】
2014230672.tif 000003